(57)【特許請求の範囲】
【請求項１】
化学エネルギーを利用した水蒸気発生部を有し、目及び目の周囲に水蒸気を供給することにより脳波のα波を増強し、副交感神経活動を亢進するα波増強具であって、該α波増強具が目及び目の周囲を覆う形状を有し、水蒸気発生部が袋材に収容された水蒸気発生組成物からなり、袋材の水蒸気発生面の透湿性がＪＩＳ（Ｚ０２０８、４０℃、９０％ＲＨ）で１０００〜１１０００ｇ／ｍ2・２４ｈであり、該α波増強具の表面から放出される水蒸気温度が３８〜４２℃に制御されているα波増強具。
【請求項２】
水蒸気発生部が、鉄粉１０〜８０重量％、活性炭、保水剤若しくは反応促進剤、又はそれらの混合物３〜５０重量％、金属塩０．３〜１５重量％、及び水１〜７０重量％を含有する水蒸気発生組成物からなる請求項１記載のα波増強具。
【請求項３】
水蒸気発生部を着脱自在に装着する目枕を有する請求項１又は２記載のα波増強具。
【請求項４】
全重量が５０〜４００ｇである請求項１〜３のいずれかに記載のα波増強具。
【請求項５】
香気成分が付与されている請求項１〜４のいずれかに記載のα波増強具。
【請求項６】
α波増強具の目及び目の周囲への適用面における単位表面積あたりの水蒸気発生量が、０．５ｍｇ／ｃｍ2・ｍｉｎ以上である請求項１〜５のいずれかに記載のα波増強具。
【発明の詳細な説明】
【０００１】
【発明の属する技術分野】
本発明は、目及び目の周囲に水蒸気を供給することにより、脳波のα波の出現量を増加させるα波増強具に関する。
【０００２】
【従来の技術】
脳波とは、脳の神経細胞が互いに信号を伝える時に発生する活動電位パルスであり、その周波数帯域により、α波、β波、δ波、θ波、その他いくつかの脳波に分類される。これらの脳波の中でも、α波は、リラックスした姿勢で安静閉眼時に増加し、精神的あるいは身体的ストレスにより減少すること("Psychophysiology" J.L.Andreassi, Oxford University Press Inc(1980))、即ち、副交感神経が優位な状態にあるときに増加し、交感神経が優位な状態にあるときに減少することが知られている。また、α波の発生時には、勉強や仕事に対する集中力が高まることも知られている。
【０００３】
そのため、α波の発生を誘導する方法や装置の開発が進められており、例えば、利用者のα波を検出し、それを光信号に変換し、目の前の光源の点滅により視覚を刺激する装置等が市販されている。
【０００４】
【発明が解決しようとする課題】
本発明は、新たな手法でより簡便に効果的にα波の増強を図る器具を提供することを目的とする。
【０００５】
【課題を解決するための手段】
本発明者らは、目及び目の周囲に侵害刺激にならない温度以下の水蒸気を供給することにより、α波が有意に増加することを見出した。
【０００６】
即ち、本発明は、化学エネルギーを利用した水蒸気発生部を有し、目及び目の周囲に水蒸気を供給することにより脳波のα波を増強し、副交感神経活動を亢進するα波増強具であって、該α波増強具の表面から放出される水蒸気温度が５０℃以下に制御されているα波増強具を提供する。
【０００７】
本発明において、α波を増強するとは、被験者に脳波電極を装着し脳波計を用いて脳波を測定したときに、α波の出現量が処置前に比べ増加していることをいう。この場合、脳波の測定法としては、国際標準法の単極導出法や双極導出法など脳波測定に関する公知の方法であればよい。
【０００８】
また、副交感神経活動を亢進するとは、被験者の心電図のＲＲ間隔を検出し、周波数解析により、呼吸性洞性不整脈（respiratory sinus arrhythmia）に起因する高周波数成分（0.15〜0.40Hz）とＭａｙｅｒ波関連成分（Mayer wave-relted sinus arrhythmia）に起因する低周波数成分（0.04〜0.15Hz）のパワー密度を算出し、高周波成分のパワー密度ＨＦを副交感神経活動（心臓の迷走神経性の活動）の指標とし、ＨＦが処置前に比べて増加していることをいう。この場合、周波数解析方法としては特に限定はなく、心電図ＲＲ間隔を周波数解析できる手法であればよい。例えば、ＦＦＴ(Fast Fourier Transformation)、ユール−ウォーカー法（Yule-Walker method）、バーグ法（Burg method）、ハウスホルダー法（Householder method）、アカイケ法（Akaike method）、 最大エントロピー法等があげられる（Task force of the European society of cardiology and the North American society of pacing of pacing and electrophysiology. Heart rate variability: standards of measurement, physiological interpretation, and clinical use. Circulation, 9,1043-1065(1996)）。
【０００９】
【発明の実施の形態】
本発明のα波増強具は、目及び目の周囲に適用するものである。ここで、α波増強具を目及び目の周囲に適用するとは、α波増強具を目又は目の周囲の皮膚に直接的に接触させることと、接触させることなくその近傍に配することの双方を包含する。
【００１０】
本発明のα波増強具は、化学エネルギーを利用した水蒸気発生部を有し、目及び目の周囲に水蒸気を供給することを特徴としている。
【００１１】
ここで、化学エネルギーとしては、酸とアルカリの中和熱、無機塩類（塩化カルシウム、塩化マグネシウム、酸化カルシウム、酸化マグネシウム、ゼオライト等）の水和熱、金属粉の酸化熱等をあげることができる。
【００１２】
かかる化学エネルギーの水蒸気発生部における具体的利用態様は、利用する当該化学エネルギーの反応形態に応じて適宜定める。例えば、酸とアルカリの中和熱や、無機塩類の水和熱等を利用する場合、水蒸気発生部は、中和熱や水和熱を発生させる加熱部と、これらから発生する熱によって水蒸気を放出する蒸発部とから構成することができる。この場合、加熱部は、反応させる反応物同士を仕切壁で分離し、水蒸気を発生させるときに随時その仕切壁を破り、反応を進行させられるようにすればよい。また、蒸発部は、例えば、紙、織布、不織布等の繊維集合体や多孔質体に水を含浸させたものや、含水ゲル状高分子をフィルム状に伸ばしたものから構成し、加熱部の発熱により水蒸気が放出されるようにすればよい。
【００１３】
化学エネルギーとして金属粉の酸化熱を利用する場合、水蒸気発生部は、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した水蒸気発生組成物から構成される。この組成物には、必要に応じて、保水剤（例えば、バーミュキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させることができる。なかでも、水蒸気発生組成物の組成としては、鉄粉１０〜８０重量％、活性炭、保水剤若しくは反応促進剤、又はそれらの混合物３〜５０重量％、金属塩０．３〜１５重量％、水１〜７０重量％、が好ましい。
【００１４】
水蒸気発生組成物は、次式
【化１】
Ｆｅ＋３／４Ｏ2＋３／２Ｈ2Ｏ→Ｆｅ（ＯＨ）3＋９６ｋｃａｌ
のように金属粉が酸化する発熱反応をおこし、系内の水を水蒸気として放出することにより水蒸気発生部として機能する。
【００１５】
なお、この水蒸気発生組成物の発熱反応は、一般に化学カイロと称されている発熱体で利用されているものである。しかしながら、従来の化学カイロにおいては、かかる組成物を、通気性及び透湿性が共に低い素材からなる袋に収容し、反応に必要な水が発熱体から逃げないようにして使用する。
【００１６】
これに対し、本発明においてはかかる組成物を水蒸気発生源として使用する場合、この組成物を高い透湿性を有するシート材料で収容し、発熱時には反応系内に存在する水の一部が水蒸気となって積極的に系外に放出されるようにする。したがって、目及び目の周囲に十分な水蒸気を供給することが可能となる。
【００１７】
水蒸気発生組成物の発熱反応時に放出される水蒸気温度は、その組成物への通気量を制御せず大気中に開放又はそれに近い状態にすると６０℃以上となる。６０℃以上の水蒸気が、目及び目の周囲に持続的に適用されると安全性上の問題がひきおこされるおそれがある。そこで、本発明においては、α波増強具の目及び目の周囲への適用面から放出される水蒸気温度を５０℃以下、好ましくは３８〜４２℃に制御する。
【００１８】
本発明においては、このような温度制御を、前述の酸とアルカリの中和熱、無機塩類の水和熱等の化学エネルギーを利用する場合にも行う。
【００１９】
本発明において、α波増強具から放出される水蒸気温度を５０℃以下に制御するにあたり、その温度測定は、ＪＩＳ  Ｓ４１００使い捨てカイロの温度測定法に準じる。
【００２０】
温度制御の具体的態様は、水蒸気発生部で利用する化学エネルギーの反応形態、利便性等に応じて適宜定めることができる。例えば、水蒸気発生部で反応させる反応物の量、反応物が粒体である場合にはその粒径、透湿性シートの透湿度等を適宜変えることにより反応速度を調整し、これによりα波増強具表面から放出される水蒸気温度を制御する。また、水蒸気発生部とα波増強具の目及び目の周囲への適用面との間に温度調節材を設け、水蒸気発生部から放出された水蒸気が温度調節材を透過することにより水蒸気温度が下がるようにしてもよい。このような温度調節材を用いて温度制御すると、水蒸気発生部で利用する化学エネルギーの形態によらず、確実かつ簡便にα波増強具から放出される水蒸気温度を５０℃以下に制御できるので好ましい。
【００２１】
温度調節材の構成素材としては、(1)織布、不織布、(2)紙、合成紙等の紙類の他に(3)プラスチック、天然ゴム、再生ゴム又は合成ゴムから形成した多孔性フィルム又は多孔性シート、(4)穿孔を有するウレタンフォーム等の発泡プラスチック、及び(5)穿孔を有するアルミ箔等の金属箔、の少なくとも一種を使用することができる。
【００２２】
なお、これらの構成素材からなる温度調節材を用いて温度制御する場合に、温度調節材は水蒸気の通過抵抗にもなることから、温度調節材の厚み等は、所定量の水蒸気が目及び目の周囲に到達するように、当該温度調節材の材質、温度調節材として複数の構成素材を積層する場合のそれらの組み合わせ態様等に応じて適宜定める。例えば、温度調節材を単層の不織布から形成する場合、その厚さは、０．１ｍｍ以上とすることが好ましく、１ｍｍ以上とすることがより好ましい。
【００２３】
また、前述のような構成素材から温度調節材を形成する場合、厚みをコンパクトにし、かつそれを通過する水蒸気の温度調節能を高めるため、温度調節材は、複数種の構成素材からなる積層物とすることが好ましい。
【００２４】
本発明のα波増強具には、水蒸気発生部を着脱自在に装着する目枕を設けてもよい。これにより、目及び目の周囲が適度に押圧し、リラックス感、リフレッシュ感を誘発させることができる。この場合、水蒸気発生部と目枕を含むα波増強具の全重量は、重量調整材等の使用により５０ｇ以上とすることが好ましく、８０ｇ以上とすることがより好ましい。また、目枕の重量を重くし、結果的にα波増強具の全重量が過度に重くなると、使用感が低下するので、α波増強具の全重量は４００ｇ以下、特に２５０ｇ以下とすることが好ましい。
【００２５】
目枕本体の構成素材としては、(1)綿、絹、麻、合成繊維等からなる不織布、織布、キルティング、(2)紙、合成紙等の紙類、(3)獣毛等を使用することができる。また、目枕の全重量を５０ｇ以上にするための重量調節材として、(1)ポリエチレン、ポリプロピレン、ポリエステル等の有機高分子化合物、(2)シリカ、アルミナ等のセラミックス、(3)亜麻の種等の種子、そば殻等の種皮、(4)織布、不織布、(5)紙、木材等を使用することができる。
【００２６】
本発明において、α波増強具の目及び目の周囲への適用面における単位表面積あたりの水蒸気発生量は、目及び目の周囲への水蒸気供給効果の点から、０．０１ｍｇ／ｃｍ2・ｍｉｎ以上となるように調整することが好ましく、０．５ｍｇ／ｃｍ2・ｍｉｎ以上とすることがより好ましい。なお、この水蒸気発生量は、室温環境（２５℃、６５％ＲＨ）下でα波増強具を外気遮断容器から取り出し、直ちに小数点以下３桁まで測定可能な上皿天秤に載せ、その後１５分間重量測定を行った場合において、測定開始時の重量をＷt0（ｇ）とし、１５分後の重量をＷt15（ｇ）とし、α波増強具の目及び目の周囲への適用面の表面積をＳ（ｃｍ2）としたときに、以下の式により算出されるものである。
【００２７】
【数１】
水蒸気発生量(mg/cm2・min)＝（Ｗt0−Ｗt15）・１０００／１５Ｓ
【００２８】
α波増強具の目及び目の周囲への適用面からの水蒸気放出量を０．０１ｍｇ／ｃｍ2・ｍｉｎ以上に調整するための具体的方法としては、例えば、水蒸気発生部を化学カイロと同様の水蒸気発生組成物から構成する場合、水蒸気発生組成物を収容する袋材、温度調節材、あるいはα波増強具の外形等を構成するα波増強具本体の材料として十分な透湿性を有するものを使用すればよい。より具体的には、ＪＩＳ（Ｚ０２０８、４０℃、９０％ＲＨ）で１０００ｇ／ｍ2・２４ｈ以上の透湿性を有する材料を使用することが好ましく、より好ましくは２０００ｇ／ｍ2・２４ｈ以上、さらに好ましくは２０００〜１５０００ｇ／ｍ2・２４ｈ、特に好ましくは３０００〜１１０００ｇ／ｍ2・２４ｈの透湿性を有する材料を使用する。
【００２９】
α波増強具には香気成分を付与し、α波増強具の使用時に香気が香るようにすることが好ましい。香気成分としては、リラックス感、リフレッシュ感、入眠感を誘発するもの、例えば、ラベンダー、ミント、ローズ等のハーブ類が好ましい。香気成分の付与方法としては、例えば、香気成分となる芳香族系化合物を含浸させたシリカ、セルロース等の粒子や真性ラベンダー等のポプリ等の香気成分担持体をα波増強具の重量調節材に混合する方法、α波増強具の使用時に香りオイルをα波増強具の表面材につける方法、香りシートをα波増強具に貼付する方法などをあげることができる。
【００３０】
本発明のα波増強具あるいはα波増強具に用いる目枕の形状としては、例えば、α波増強具あるいは目枕を目及び目の周囲に適用した場合のずり落ちを防止するため、鼻に当たる部分にＶ字カットを施した形状あるいはアイマスク様形状とすることが好ましい。また、α波増強具又はそれに用いる目枕がその適用時に目及び目の周囲にフィットし、α波増強具の適用面全体から温熱水蒸気を実感できるように、α波増強具あるいはそれに用いる目枕には目及び目の周囲の顔面立体形状に適合するように表面凹凸を付けることが好ましい。このためには、α波増強具あるいは目枕表面の構成素材として織布等を使用する場合に、その織布にキルティング加工を施して所定の凹凸をつけてもよい。
【００３１】
また、α波増強具あるいはそれに用いる目枕には、小袋状等に形成した水蒸気発生部を着脱自在に装着するポケットを設けてもよく、また水蒸気発生部を着脱自在に貼付して安定に固定するための固定手段、あるいはポケットに収容した水蒸気発生部の抜け落ちを防止するための固定手段として、例えば、マジックテープ、ボタン、フック等を設けてもよい。
【００３２】
以下、本発明の好ましい態様を、図面を参照しつつ詳細に説明する。なお、各図中、同一符号は同一又は同等の構成要素を表している。
【００３３】
図４は、本発明の一態様のα波増強具１００Ａの平面図（同図（ａ））及び部分断面図（同図（ｂ））である。なお、図中点線は、α波増強具を目及び目の周囲に適用した場合の目の位置を示している。
【００３４】
このα波増強具１００Ａは、水蒸気発生組成物２を透湿性内袋３に収容した水蒸気発生部１と、水蒸気発生部１上に積層された温度調節材４と、これら全体を収容する透湿性外袋５と、さらに外側でこれらを密封する、非通気性非透湿性シートからなる密封袋６からなっている。
【００３５】
このα波増強具１００Ａは、未使用の保存時には密封袋６に密封されているが、この密封袋６は使用時には破られ、α波増強具１００Ａが取り出される。そして、透湿性外袋５の水蒸気発生面５ａを目及び目の周囲に適用することにより使用される。なお、α波増強具１００Ａを目及び目の周囲に適用する場合に、α波増強具１００Ａの目及び目の周囲へのフィット感を高め、はずれやずり落ちを防止するために、透湿性外袋５には、両端にマジックテープ等が付けられている頭部固定用バンド設けてもよい。
【００３６】
水蒸気発生部１は、α波増強具１００Ａを目及び目の周囲に適用した場合に、両眼とその周囲を覆うように、α波増強具１００Ａ内で２カ所に区分されて配設されている。
【００３７】
水蒸気発生組成物２としては、前述の金属粉の酸化熱を利用したものが使用される。
【００３８】
透湿性内袋３は、目に適用する側の面（水蒸気発生面３ａ）が透湿性素材から構成され、その反対側の面３ｂが非透湿性素材から構成されている。このように水蒸気発生組成物２を収容する透湿性内袋３の一方の面３ｂを非透湿性とすることにより、水蒸気発生組成物２から放出された水蒸気を効率よく目及び目の周囲に導くことができる。
【００３９】
水蒸気発生面３ａを構成する透湿性素材としては、十分な水蒸気透過量が得られ、水蒸気発生組成物２が漏れ出ないものであれば特に限定されるものではない。具体的には、ナイロン、ビニロン、ポリエステル、レーヨン、アセテート、アクリル、ポリエチレン、ポリプロピレン、ポリ塩化ビニル等の人工繊維、パルプ、綿、麻、絹、獣毛等の天然繊維から選ばれた１種又は２種以上を混合した織布、不織布、紙、合成紙及びポリエチレン、ポリプロピレン、ポリアミド、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等の非通気性フィルム、シートに穿孔を設けたもの等が挙げられる。
【００４０】
透湿性内袋３の非透湿性の面３ｂは、固定台としての不織布４ａに貼着され、固定されている。
【００４１】
透湿性内袋３の水蒸気発生面３ａ上に積層された温度調節材４は、図４（ｂ）に示されているように、４枚の不織布４ａと２枚の紙４ｂとの積層物からなっている。なお、本発明において、温度調節材４としては、この図４のα波増強具１００Ａの態様に限られず、前述した種々の構成素材を単独であるいは組み合わせて使用することができる。また、図４のα波増強具１００Ａのように温度調節材４を透湿性内袋３と別個に設けることなく、透湿性内袋３に温度調節材４の機能をもたせてもよい。ただし、経済性、技術性、製造上の容易性、安全性等の点からは、温度調節材４は、透湿性内袋３と別個に形成することが好ましい。
【００４２】
透湿性外袋５は、水蒸気発生組成物２を収容した透湿性内袋３と、温度調節材４の全体を収容しており、その外形が、アイマスク様形状となっている。このように目枕１００Ａの適用時の外形をなす透湿性外袋５をアイマスク様形状とすることにより、α波増強具１００Ａのフィット感を向上させることができる。なお、アイマスク様形状としては、或る程度の厚みを有するものの他、薄いシート状のものも含まれる。
【００４３】
透湿性外袋５の目及び目の周囲に適用する面（水蒸気発生面５ａ）の周辺部には粘着材７が貼着されている。これにより、α波増強具１００Ａを目及び目の周囲へ容易に固定することが可能となる。なお、α波増強具１００Ａは、それを手で支持することによっても適用部位に固定できるので、本発明において粘着材７は省略してもよい。
【００４４】
図１は、図４と異なる本発明のα波増強具１００Ｂの平面図（同図（ａ））及び断面図（同図（ｂ））である。このα波増強具１００Ｂは目枕本体８と、目枕本体８の片面にマジックテープ９で着脱自在に貼付される水蒸気発生部１’からなっている。
【００４５】
水蒸気発生部１’としては、図４と同様に形成した水蒸気発生部１、あるいは水蒸気発生部１に図４と同様の温度調節材４を設けたものが使用され、その目あるいは目の周囲への適用面と反対側の面にマジックテープ片が付けられる。
【００４６】
目枕本体８は、表面が綿、絹、麻、合成繊維等からなる織布又は不織布で、内部に重量調節材として直径２〜７ｍｍ程度の粒状のポリエチレン８０〜１５０ｇが添加されているキルティング材料から形成されている。また、目枕本体８のキルティング材料の内部には、真性ラベンダー、乾燥ハーブ、エッセンシャルオイル含浸物等の香気成分担持体が、０．１〜１０ｇ添加されている。
【００４７】
目枕本体８の外形は、略矩形で２０ｃｍ×８ｃｍ程度の両眼及びその周囲を覆う大きさを有し、中央部片側にはＶ字カットが施されている。また、目枕本体８の水蒸気発生部１’の貼付面には、貼付した水蒸気発生部１’の縁辺の位置に合わせてキルティングの縫い目１０が形成されている。
【００４８】
図２のα波増強具１００Ｃは、図１の目枕本体８と同様のキルティング材料からなり、さらにその外側に綿、絹、麻、合成繊維等の織布、不織布からなる生地１１を重ね、水蒸気発生部１’を収容するポケット１２を形成したものである。この目枕本体８のポケット１２の開口部には、ボタン、テープ、フック、ジッパー等を設け、ポケット１２内に収容した水蒸気発生部１’が不要に抜け出ないようにすることが好ましい。
【００４９】
図３のα波増強具１００Ｄは、図１のα波増強具１００Ｂを不織布、織布等のカバー１３で覆ったものである。
【００５０】
この他、本発明のα波増強具は種々の態様をとることができる。例えば、図４に示した水蒸気発生部１では、そこから放出された水蒸気を効率よく目及び目の周囲に導くために、透湿性内袋３の目と反対側の面３ｂを非透湿性としているが、透湿性内袋３全面を透湿性材料で形成し、その透湿性内袋３の目及び目の周囲への適用面と反対側の面３ｂ上に非透湿性シートを配設してもよい。また、水蒸気発生部１としては、α波増強具の適用時に、両眼及びその周囲を覆うのに十分な大きさの１つの水蒸気発生部を設けてもよい。
【００５１】
【実施例】
実施例１
図４の態様のα波増強具１００Ａを次のように作製した。
【００５２】
まず、吸水性ポリマー（三菱化学社製、商品名：アクアパール）１０重量部に、２ｗｔ％の食塩水４０重量部を加え、含水保水剤を調製した。
【００５３】
一方、粒径３２μｍ以下の鉄粉（同和鉄粉工業社製、商品名：ＲＫＨ）３０重量部、活性炭（武田薬品社製）１０重量部、ひる石（シンセイミクロン社製、バーミキュライト）１０重量部との混合物に先の含水保水剤５０重量部を加え、混合し、水蒸気発生組成物２を得た。この水蒸気発生組成物２を、片面がビニールコーティングされたシート（日東電工社製、商品名：ニトタック）からなり、他面が透湿性不織布（東海パルプ社製、商品名：イレブンＭＯＡ、坪量４０ｇ／ｍ2）からなる１辺３ｃｍの正方形の小袋に３ｇ充填し、水蒸気発生部１を得た。
【００５４】
この水蒸気発生部１の透湿性不織布からなる面（水蒸気発生面３ａ）を上に向け、下面を支持体としての不織布（チッソ社製、商品名：エアレード、坪量２４ｇ／ｍ2）に接着固定し、この水蒸気発生部１の上面に、図４に示した温度調節材４と同様の温度調節材（１層の紙４ｂ（クレシア社製、商品名：キムタオル）、２層の不織布４ａ（チッソ社製、商品名：エアレード、坪量２４ｇ／ｍ2）、１層の紙４ｂ、２層の不織布４ａを順次積層したもの）を設け、全体を透湿性不織布（三井化学社製、商品名：シンテックスＭＢ、坪量１５ｇ／ｍ2）からなる外袋５に収容することにより、温度調節材を備えたα波増強具１００Ａを作製した。このα波増強具１００Ａには、頭部固定用布製バンドをマジックテープにて取り付け、密封袋に保存した。
【００５５】
こうして得られたα波増強具１００Ａを密封袋から取り出し、温度調節材４側を皮膚に向けて目及び目の周囲に適用し、頭部固定用布製ベルトで頭部に固定した。
【００５６】
α波増強具１００Ａは、密封袋から取り出した後約３０〜４０秒で水蒸気の発生を開始した。α波増強具１００Ａの目及び目の周囲への適用面から放出される水蒸気の最高温度は４０〜４１℃であった。また、このα波増強具１００Ａは、３８℃以上の水蒸気の発生を１５分間維持した。
【００５７】
α波増強具１００Ａの適用の脳波に及ぼす効果を調べるために、健常な男性及び女性（２５〜３５歳）１２名を被験者とし、安静閉眼状態での脳波を記録した。脳波の測定方法は、導出部位を耳朶とし、基準電極とする単極導出法で行い、後頭部正中位Ｏｚより導出した。得られた脳波形を８〜１３Hzのバンドフィルターで処理しα波のみを記録した。そして、α波増強具を適用する前５分間と適用中５分間のα波の積分値の変化からα波の増減を評価した。結果を表１、図５に示す。その結果、α波増強具の適用中には、有意(p<0.05)にα波が増加することが認められた。
【００５８】
【表１】
0004333021.tif 000002
【００５９】
比較例１
実施例１のα波増強具の水蒸気を発生しない面を皮膚に向けて目及び目の周囲に適用した。この場合、α波増強具と目との間にはガーゼを挟み、目及び目の周囲への適用面となるガーゼの表面温度が３８〜４１℃となるように調整した。
【００６０】
実施例１と同様に安静閉眼状態での脳波を記録した。結果を表２、図５に示す。その結果、温熱体の適用前に対して適用中のα波の出現量に有意な変化は認められなかった。
【００６１】
【表２】
0004333021.tif 000003
【００６２】
実施例２
図１の態様のα波増強具１００Ｂを次のように作製した。
【００６３】
実施例１と同様にして水蒸気発生部１を作製し、その透湿性不織布からなる面（水蒸気発生面３ａ）上に実施例１と同様の積層構造の温度調節材４を重ね、水蒸気発生部１の他面に、マジックテープを取り付け、温度調節材付きの水蒸気発生部１’を得、密封袋に保存した。
【００６４】
次に、目枕本体８として、表面が綿生地で、内部に重量調節材として直径５ｍｍのポリエチレン粒が１００ｇを充填したキルティング材料からなる、大きさ２０ｃｍ×８ｃｍで、中央部片側にＶ字カットを有するものを作製した。この目枕本体８の片面には、中央部及び中央部から左右両側へそれぞれ６ｃｍ離れた部位に直線状にキルティングの縫い目１０を形成し、また中央部から左右両側へそれぞれ３ｃｍ離れた部位に一辺２ｃｍのマジックテープ９を取り付けた。また、目枕本体８には、頭部固定用布製バンドをマジックテープにて取り付けた。
【００６５】
温度調節材を備えた水蒸気発生部１'を密封袋から取り出し、直ちにそれを目枕本体８のマジックテープ９上に貼付してα波増強具１００Ｂを得た。
【００６６】
こうして得られたα波増強具１００Ｂを、水蒸気発生部１’を皮膚側に向けて目及び目の周囲に適用した。その結果、α波増強具１００Ｂは、水蒸気発生部１'を密封袋から取り出した後約３０〜４０秒で水蒸気の発生を開始した。また、目及び目の周囲への適用面から放出される水蒸気の最高温度は３９〜４０℃であり、３８℃以上の水蒸気の発生を１５分間維持した。
【００６７】
α波増強具１００Ｂの適用の副交感神経活動に及ぼす効果を調べるために、、健常な男性及び女性（２５〜３５歳）１２名を被験者とし、安静閉眼状態の心電図を記録した。心電図は胸部双極誘導により測定し、周波数解析（最大エントロピー法；Memcalc）により副交感神経活動の指標となるＨＦ（単位ＰＳＤ（パワースペクトル密度）：ｍｓ2／Ｈｚ）を算出し、α波増強具の適用中５分間と適用前５分間とのＨＦの差あるいは相対変化率（％）からＨＦの増減を評価した。結果を表３、図６に示す。その結果、α波増強具の適用中には有意(p<0.01)にＨＦが増加することが認められた。
【００６８】
【表３】
0004333021.tif 000004
【００６９】
比較例２
市販の化学カイロを図１の目枕に装着し、化学カイロと目との間にはガーゼを挟み、目及び目の周囲への適用面となるガーゼの表面温度が３８〜４１℃となるように調整した。
【００７０】
実施例２と同様に安静閉眼状態での心電図を記録し、ＨＦを算出し、さらにα波増強具の適用中５分間と適用前５分間とのＨＦの差あるいは相対変化率（％）を求めた。結果を表４、図６に示す。その結果、温熱体の適用前に対して適用中のＨＦに有意な変化は認められなかった。
【００７１】
【表４】
0004333021.tif 000005
【００７２】
【発明の効果】
本発明によれば、簡便に効果的にα波を増強することができる。
【図面の簡単な説明】
【図１】  α波増強具の平面図（同図（ａ））及び断面図（同図（ｂ））である。
【図２】  α波増強具の平面図（同図（ａ））及び断面図（同図（ｂ））である。
【図３】  α波増強具の平面図（同図（ａ））及び断面図（同図（ｂ））である。
【図４】  α波増強具の平面図（同図（ａ））及び部分断面図（同図（ｂ））である。
【図５】  実施例１と比較例１のα波の出現量の相対変化率を示すグラフである。
【図６】  実施例２と比較例２のＨＦの相対変化率を示すグラフである。
【符号の説明】
１    水蒸気発生部
２    水蒸気発生組成物
３    透湿性内袋
４    温度調節材
５    透湿性外袋
６    密封袋
７    粘着材
８    目枕本体
９    マジックテープ
１０    キルティングの縫い目
１２    ポケット
１３    カバー
１００Ａ、１００Ｂ、１００Ｃ、１００Ｄ  α波増強具
【図１】
0004333021.tif 000006
【図２】
0004333021.tif 000007
【図３】
0004333021.tif 000008
【図４】
0004333021.tif 000009
【図５】
0004333021.tif 000010
【図６】
0004333021.tif 000011